(57)【要約】【課題】標準電波の受信に要する消費電力及び時間を低減し、かつ、受信成功確率を向上させる電波修正時計を提供する。【解決手段】電波修正時計は、計時手段４１０と、時刻表示手段５００と、受信手段２００と、現時刻修正手段４４０と、受信制御手段４２０と、外部操作手段６００と、を含み、受信制御手段４２０は、受信手段２００にて標準電波の受信を開始する時刻として自動受信時刻が予め設定され、計時手段４１０でカウントされる現時刻が自動受信時刻に到達した場合には、標準電波の時刻情報のうち限定された一部の限定時刻情報のみを受信手段２００に受信させる第１受信モードを実行させ、外部操作手段６００にて標準電波の強制受信動作が指令された場合には、第１受信モードより標準電波の時刻情報を多く受信手段２００に受信させる第２受信モードを実行させる。【選択図】図１
2014081289.tif 000002
【特許請求の範囲】
【請求項１】
基準クロックパルスに基づいて現時刻をカウントする計時手段と、
前記計時手段にて計時された現時刻を表示する時刻表示手段と、
時刻情報を含む標準電波を受信する受信手段と、
前記受信手段で受信した時刻情報に基づいて前記計時手段の現時刻を修正する現時刻修正手段と、
前記受信手段の受信動作を制御する受信制御手段と、
前記計時手段で計時され前記時刻表示手段で表示される現時刻の外部修正指令及び標準電波の強制受信動作指令を選択的に入力可能な外部操作手段と、
を含み、
前記受信制御手段は、前記受信手段にて標準電波の受信を開始する時刻として自動受信時刻が予め設定され、前記計時手段でカウントされる現時刻が前記自動受信時刻に到達した場合には、標準電波の時刻情報のうち限定された一部の限定時刻情報のみを前記受信手段に受信させる第１受信モードを実行させ、
前記外部操作手段にて標準電波の強制受信動作が指令された場合には、前記第１受信モードより標準電波の時刻情報を多く前記受信手段に受信させる第２受信モードを実行させることを特徴とする電波修正時計。
【請求項２】
請求項１に記載の電波修正時計において、
前記第１受信モードにおいて受信する前記限定時刻情報は、標準電波の時刻情報のうち、秒、分、及び時の情報であることを特徴とする電波修正時計。
【請求項３】
請求項１又は２に記載の電波修正時計において、
前記受信手段で受信された標準電波の時刻情報を一時的に記憶するとともに受信された時刻情報が正確に受信されたものであるかを判断する受信情報処理手段を備え、
前記受信情報処理手段は、前記第１受信モードにおいては、受信した時刻情報と前記計時手段でカウントされる現時刻との差が許容範囲内であれば受信に成功していると判断することを特徴とする電波修正時計。
【請求項４】
請求項１〜３のいずれか一項に記載の電波修正時計において、
前記受信手段で受信された標準電波の時刻情報を一時的に記憶するとともに受信された時刻情報が正確に受信されたものであるかを判断する受信情報処理手段を備え、
前記受信情報処理手段は、前記第２受信モードにおいては、連続して受信した時刻情報が所定時刻差となっており、かつ、連続して受信した時刻情報が所定時刻差となることが複数回あった場合に受信に成功したと判断することを特徴とする電波修正時計。
【請求項５】
請求項１〜４のいずれか一項に記載の電波修正時計において、
前記受信手段は、
前記標準電波の受信信号を増幅し、ゲインを調整可能な受信回路と、
前記受信回路のゲインを制御するオートゲインコントロール回路と、
を備え、
前記受信制御手段は、時刻情報の取得中に、取得する必要がないデータが送信されている間は前記受信手段の動作を一時停止させる間欠受信動作で前記受信手段を制御し、
前記受信制御手段は、前記間欠受信動作で一時停止している間、前記オートゲインコントロール回路を制御するオートゲインコントロール電圧を、動作停止時点の電圧に保持するとともに、前記一時停止が解除されて動作を再開した際には、前記保持しておいたオートゲインコントロール電圧に基づいて前記オートゲインコントロール回路の動作を再開させ、
前記受信手段は、一時停止が解除されて動作を再開したときには、前記受信回路のゲインを一時停止の前の状態から再開することを特徴とする電波修正時計。
【請求項６】
基準クロックパルスに基づいて現時刻をカウントする計時工程と、
前記計時工程にて計時された現時刻を表示する時刻表示工程と、
時刻情報を含む標準電波を受信する受信工程と、
前記受信工程で受信した時刻情報に基づいて前記計時工程の現時刻を修正する現時刻修正工程と、
前記受信工程の受信動作を制御する受信制御工程と、
前記計時工程で計時され前記時刻表示工程で表示される現時刻の外部修正指令及び標準電波の強制受信動作指令を選択的に入力可能な外部操作工程と、
を含み、
前記受信制御工程は、
前記受信工程にて標準電波の受信を開始する時刻として自動受信時刻が予め設定され、前記計時工程でカウントされる現時刻が前記自動受信時刻に到達した場合には、標準電波の時刻情報のうち限定された一部の限定時刻情報のみを前記受信工程に受信させる第１受信モードを実行させ、
前記外部操作工程にて標準電波の強制受信動作が指令された場合には、前記第１受信モードより標準電波の時刻情報を多く前記受信工程に受信させる第２受信モードを実行させることを特徴とする電波修正時計の制御方法。
【請求項７】
請求項６に記載の電波修正時計の制御方法において、
前記第１受信モードにおいて受信する前記限定時刻情報は、標準電波の時刻情報のうち、秒、分、及び時の情報であることを特徴とする電波修正時計の制御方法。
【請求項８】
請求項６又は７に記載の電波修正時計の制御方法において、
前記受信工程で受信された標準電波の時刻情報を一時的に記憶するとともに受信された時刻情報が正確に受信されたものであるかを判断する受信情報処理工程を備え、
前記受信情報処理工程は、前記第１受信モードにおいては、受信した時刻情報と前記計時工程でカウントされる現時刻との差が許容範囲内であれば受信に成功していると判断することを特徴とする電波修正時計の制御方法。
【請求項９】
請求項６〜８のいずれか一項に記載の電波修正時計の制御方法において、
請求項６又は７に記載の電波修正時計の制御方法において、
前記受信工程で受信された標準電波の時刻情報を一時的に記憶するとともに受信された時刻情報が正確に受信されたものであるかを判断する受信情報処理工程を備え、
前記受信情報処理工程は、前記第２受信モードにおいては、連続して受信した時刻情報が所定時刻差となっており、かつ、連続して受信した時刻情報が所定時刻差となることが複数回あった場合に受信に成功したと判断することを特徴とする電波修正時計の制御方法。
【請求項１０】
請求項６〜９のいずれか一項に記載の電波修正時計の制御方法において、
前記受信工程は、
前記標準電波の受信信号を増幅し、ゲインを調整することと、
前記受信回路のゲインを制御することと、
を備え、
前記受信制御工程は、時刻情報の取得中に、取得する必要がないデータが送信されている間は前記受信工程の動作を一時停止させる間欠受信動作で前記受信工程を制御し、
前記受信制御工程は、前記間欠受信動作で一時停止している間、オートゲインコントロール電圧を、動作停止時点の電圧に保持するとともに、前記一時停止が解除されて動作を再開した際には、前記保持しておいたオートゲインコントロール電圧に基づいて動作を再開させ、
前記受信工程は、一時停止が解除されて動作を再開したときには、ゲインを一時停止の前の状態から再開することを特徴とする電波修正時計の制御方法。
【請求項１１】
時刻情報を含む標準電波を受信する受信手段を備えた電波修正時計に組み込まれたコンピューターを、基準クロックパルスに基づいて現時刻をカウントする計時手段と、前記計時手段にて計時された現時刻を表示する時刻表示手段と、前記受信手段で受信した時刻情報に基づいて前記計時手段の現時刻を修正する現時刻修正手段と、前記受信手段の受信動作を制御する受信制御手段と、前記計時手段で計時され前記時刻表示手段で表示される現時刻の外部修正指令及び標準電波の強制受信動作指令を選択的に入力可能な外部操作手段と、して機能させる電波修正時計の制御プログラムであって、
前記受信制御手段は、
前記受信手段にて標準電波の受信を開始する時刻として自動受信時刻が予め設定され、前記計時手段でカウントされる現時刻が前記自動受信時刻に到達した場合には、標準電波の時刻情報のうち限定された一部の限定時刻情報のみを前記受信手段に受信させる第１受信モードを実行させ、
前記外部操作手段にて標準電波の強制受信動作が指令された場合には、前記第１受信モードより標準電波の時刻情報を多く前記受信手段に受信させる第２受信モードを実行させることを特徴とする電波修正時計の制御プログラム。
【請求項１２】
請求項１１に記載の電波修正時計の制御プログラムがコンピューターに読み取り可能に記録されていることを特徴とする記録媒体。
【発明の詳細な説明】
【技術分野】
【０００１】
本発明は、電波修正時計、電波修正時計の制御方法、電波修正時計の制御プログラム、及び記録媒体に関するものである。
【背景技術】
【０００２】
従来、標準電波を受信可能な電波修正時計が知られている。
時刻情報が重畳された標準電波のタイムコードフォーマットは、図３に示されるように、１秒ごとに１つの信号が送信され、６０秒（１分）で１レコードとして構成されている。
標準電波信号のタイムコードフォーマットは、項目として、現在時刻の分、時、現在年の１月１日からの通算日、年（西暦下２桁）、曜日、及びうるう秒の各桁データを含んで構成されている。
さらに、分、時に関するパリティービットの項目、予備ビット、停波予告ビットの項目が設けられている。
各項目の値は、各秒に割り当てられた数値（ビットデータ）の組合せによって構成されている。
【０００３】
電波修正時計は、基準クロックに基づいて現時刻（秒、分、時、通算日、年、及び曜日）を計時する計時手段と、この計時された現時刻を表示する時刻表示手段と、標準電波を受信する受信手段と、受信手段で受信した時刻情報に基づいて計時手段の現時刻を修正する現時刻修正手段と、を備えて構成される。
このような構成からなる電波修正時計において、時刻情報を含む標準電波を受信手段で受信する。
すると、この標準電波の時刻情報に基づいて、現時刻修正手段によって計時手段の現時刻が修正される。
この現時刻が時刻表示手段に表示される。
【０００４】
ところで、電波時計における標準電波の受信状態は、その設置される場所や環境条件によって大きく変化する。例えば、電波時計が鉄筋住宅の内部や建物の地階に置かれた場合、到達電波の減衰によってその受信状態は著しく劣化する。また、電波時計の周囲に電波雑音の発生源が多く存在する場合も、その影響によって電波時計の受信状態は劣化する。前述の如く、電波時計は時刻カウント用の水晶発振回路を内蔵しているので、受信状態が劣化して電波時計が標準電波を正常に受信できない受信不能状態に陥った場合でも、直ちに電波時計における表示時刻が不正確になることはない。
【０００５】
しかしながら、受信不能状態が長時間連続すると、電波時計が内蔵する水晶発振回路に使用されている水晶振動子の精度によって表示時刻に誤差を生ずる虞がある。したがって、係る表示時刻の誤差を減少させるためには、高精度の水晶振動子を用いる必要があり、当然に製品コストの上昇を招くという問題がある。
また、電波時計は、その消費電力を軽減すべく、一般に電波受信部を間歇的に動作させている。したがって、係る間歇動作の時間間隔を伸ばすと消費電力の低減は図れるが、受信状態が劣化した場合に受信不能状態が長時間連続して表示時刻の誤差が発生し易くなる。一方、時間間隔を縮めると受信状態が劣化した場合でも表示時刻の誤差は低減し得るが消費電力が増加すると言う問題がある。
【０００６】
そこで、受信自体を間欠的に行い、受信を行わない時期を設けることにより、消費電流の低減に繋げる時計が開示されている（例えば、特許文献１参照）。
【先行技術文献】
【特許文献】
【０００７】
【特許文献１】特開２００４−３４０７４９号公報
【発明の概要】
【発明が解決しようとする課題】
【０００８】
しかしながら、特許文献１では受信を行わない期間が生じ、時計の表示時刻の誤差が生じてしまう虞があった。
【０００９】
本発明が解決しようとする課題は、標準電波の受信に要する消費電力及び時間を低減し、かつ、受信成功確率を向上させる電波修正時計を提供することである。
【課題を解決するための手段】
【００１０】
本発明は、上述の課題の少なくとも一部を解決するためになされたものであり、以下の形態又は適用例として実現することが可能である。
【００１１】
［適用例１］本適用例に係る電波修正時計は、基準クロックパルスに基づいて現時刻をカウントする計時手段と、前記計時手段にて計時された現時刻を表示する時刻表示手段と、時刻情報を含む標準電波を受信する受信手段と、前記受信手段で受信した時刻情報に基づいて前記計時手段の現時刻を修正する現時刻修正手段と、前記受信手段の受信動作を制御する受信制御手段と、前記計時手段で計時され前記時刻表示手段で表示される現時刻の外部修正指令及び標準電波の強制受信動作指令を選択的に入力可能な外部操作手段と、を含み、前記受信制御手段は、前記受信手段にて標準電波の受信を開始する時刻として自動受信時刻が予め設定され、前記計時手段でカウントされる現時刻が前記自動受信時刻に到達した場合には、標準電波の時刻情報のうち限定された一部の限定時刻情報のみを前記受信手段に受信させる第１受信モードを実行させ、前記外部操作手段にて標準電波の強制受信動作が指令された場合には、前記第１受信モードより標準電波の時刻情報を多く前記受信手段に受信させる第２受信モードを実行させることを特徴とする。
【００１２】
本適用例によれば、計時手段でカウントされる現時刻が自動受信時刻に到達した場合には、第１受信モードが実行され、外部操作手段にて標準電波の強制受信動作が指令された場合には、第２受信モードが実行される。
すなわち、第１受信モードが選択された場合には、標準電波の時刻情報のうち限定された一部（例えば秒、分、時、及びパリティー）のみが受信手段で受信される。
また、第２受信モードが選択された場合には、第１受信モードより多くの時刻情報、例えば、標準電波の時刻情報の総て（例えば秒、分、時、パリティー、通算日、及び年）が受信される。
【００１３】
現在の時計（例えばクォーツ時計）では月差２０秒以下の計時精度を実現する安定した基準クロックパルスを生成することができ、計時手段での現時刻カウントでも例えば日付や曜日までずれる可能性は極めて低く、標準電波を受信して日付や曜日の情報まで修正する必要はない場合が多い。
そこで、通常は第１受信モードを選択することにより標準電波の時刻情報のうち一部の限定された限定時刻情報を受信することで必要な部分だけを修正して、標準電波に基づいた正確な時刻表示を行うこととし、消費電力の削減と受信確率の向上を図ることができる。
また、その一方、手動の外部操作で計時手段の現時刻のうち日情報及び曜日情報の少なくとも一方のカレンダー情報が変更された場合などでは日情報及び曜日情報を含めた時刻情報を必要とするので、第１受信モードより多くの時刻情報を受信する受信モードである第２受信モードが設けられ、第１受信モードより多くの時刻情報（例えば、標準電波の時刻情報の総て）を受信し、標準電波に基づく時刻表示を行うことができる。
【００１４】
このように異なる受信モードが設定されて必要に応じて受信モードが選択されるので、状況に応じた受信モードで標準電波の受信を行うことができる。
すると、状況に応じて必要な限定時刻情報のみを受信して、受信時間を短くして受信に要する消費電力を低減できる。特に、標準電波を受信する受信動作には多大な電力を必要とするので、受信時間を短くすることによる消費電力削減効果は非常に大きい。
また、必要な限定時刻情報のみを受信することとするので、受信する情報量が少なく受信時間も短くなり、それだけ標準電波にノイズが乗る可能性を小さくすることができる。
すると、受信成功確率を向上させることができるので、受信動作を繰り返す必要がなくなってますます受信時間を短くできることに加えて、誤受信の可能性を小さくできるので誤受信による誤った時刻修正で誤った時間を表示することがないようにできる。
【００１５】
これにより、受信を行った場合においても消費電流が低減され、受信の頻度を上昇させることができ、時計の表示時刻の誤差の低減になる。
【００１６】
また、計時手段の現時刻情報のうち日情報及び曜日情報の少なくとも一方が外部操作手段にて修正された場合には、ユーザーによる時刻修正が誤っている可能性があり、誤って外部修正された日情報及び曜日情報を標準電波の情報によって修正するためには第２受信モードにて日情報及び曜日情報を含めて総ての時刻情報を受信する必要があるので第２受信モードが選択される。
外部操作手段にて標準電波の強制受信動作が指令された場合、ユーザーによって標準電波の受信による時刻修正が指示されたこととなるので、総ての桁（秒、分、時、通算日、年、及び曜日）の修正に万全を期すために第２受信モードが選択される。
【００１７】
［適用例２］上記適用例に記載の電波修正時計において、前記第１受信モードにおいて受信する前記限定時刻情報は、標準電波の時刻情報のうち、秒、分、及び時の情報であることを特徴とする。
【００１８】
本適用例によれば、計時手段でカウントされる現時刻が自動受信時刻に到達した場合に選択される受信モードである第１受信モードでは標準電波の時刻情報のうち秒、分、及び時の情報のみを受信する。
一般に、例えばクォーツ時計では月差２０秒以内の精度であるので日や曜日の情報は正確にカウントしており、第１受信モードで受信する秒、分、及び時の情報によって計時手段の秒分時を修正すれば計時手段の現時刻を正確な時刻に修正することができる。
すなわち、計時手段のカウントでもずれることがない日や曜日などのカレンダー情報は受信しないので、受信時間を短くして受信に要する消費電力を低減でき、また、受信する情報量が少なくなるので、信号にノイズがのる可能性を少なくして受信成功確率を向上させることができる。
【００１９】
なお、第１受信モードでは標準電波の時刻情報のうち秒、分、及び時の情報を受信するところ、秒の時刻情報を受信するとは標準電波の受信にあたってタイムコードの最初（のポジションマーカー）に同期するとともにタイムコードとして実際に受信するのは分の桁データと時の桁データとすることを含む。
【００２０】
［適用例３］上記適用例に記載の電波修正時計において、前記受信手段で受信された標準電波の時刻情報を一時的に記憶するとともに受信された時刻情報が正確に受信されたものであるかを判断する受信情報処理手段を備え、前記受信情報処理手段は、前記第１受信モードにおいては、受信した時刻情報と前記計時手段でカウントされる現時刻との差が許容範囲内であれば受信に成功していると判断することを特徴とする。
【００２１】
本適用例によれば、第１受信モードで標準電波の受信を行った場合に受信に成功しているかどうかを判断するにあたっては、受信した秒、分、及び時の時刻情報を計時手段でカウントする現時刻に対比する。そして、受信した時刻情報（秒、分、及び時の情報）と計時手段でカウントする現時刻との差が許容範囲内であった場合には受信に成功したと判断し、この受信した時刻情報で計時手段の現時刻を修正する。
【００２２】
例えば、現在の時計（例えばクォーツ時計）では安定した基準クロックパルスにより月差２０秒程度の精度を実現しているので、真の現時刻は、計時手段でカウントされる現時刻に対して許容範囲内（例えば数秒以内）にあると考えられる。そして、前記決定条件に応じて判断したうえで第１受信モードが選択されていれば、前回の標準電波の受信に成功していることになるので、計時手段でカウントされる現時刻は相当の信頼をもって正確であると判断できる。よって、受信した時刻情報が計時手段の現時刻に対して許容範囲内（例えば数秒以内）であれば、受信に成功していると判断できる。
【００２３】
このように、標準電波の時刻情報を計時手段の現時刻に対比して受信の成否を判断できるので、標準電波の受信回数は一回でよく、さらには、時刻情報のうち限定時刻情報（例えば、秒、分、及び時の情報）だけを受信するので、受信時間が非常に短くなり、受信に要する消費電力を低減できる。また、受信する情報量が少なくなるので、信号にノイズがのる可能性を少なくして受信成功確率を向上させることができる。
【００２４】
［適用例４］上記適用例に記載の電波修正時計において、前記受信手段で受信された標準電波の時刻情報を一時的に記憶するとともに受信された時刻情報が正確に受信されたものであるかを判断する受信情報処理手段を備え、前記受信情報処理手段は、前記第２受信モードにおいては、連続して受信した時刻情報が所定時刻差となっており、かつ、連続して受信した時刻情報が所定時刻差となることが複数回あった場合に受信に成功したと判断することを特徴とする。
【００２５】
本適用例によれば、第２受信モードで標準電波の受信を行った場合に受信に成功しているかどうかを判断するにあたっては、連続して受信した標準電波の時刻情報が所定時刻差（１分差）になっているかを確認し、さらに、このような所定時刻差となる連続した時刻情報の受信が複数回（例えば３回）できたかを確認して、このような要件を満たす場合に標準電波の受信に成功したと判断する。
【００２６】
第２受信モードでは、標準電波の時刻情報（秒、分、時、通算日、年、及び曜日）の総てを受信するところ、受信する情報量が多くなるので電波にノイズが重畳する危険性が増して誤受信する可能性が高くなり、さらには通算日、年や曜日等のタイムコードにはパリティービットがないので通算日、年や曜日のタイムコードにノイズが重畳していても判断することができない。
【００２７】
この点、本適用例では、連続して受信した時刻情報が所定時刻差（１分差）になっていることと、さらには、所定時刻差の時刻情報の受信を複数回できたかを確認するという非常に厳しいチェックを行うこととするので、受信の成否を厳密に判断することができる。
【００２８】
その結果、誤受信を防ぎ、誤って受信した時刻情報に基づいて誤った時刻修正が行われることを防止して、正確に受信した時刻情報に基づいて正確な時刻修正を行うこととすることができる。
【００２９】
［適用例５］上記適用例に記載の電波修正時計において、前記受信手段は、前記標準電波の受信信号を増幅し、ゲインを調整可能な受信回路と、前記受信回路のゲインを制御するオートゲインコントロール回路と、を備え、前記受信制御手段は、時刻情報の取得中に、取得する必要がないデータが送信されている間は前記受信手段の動作を一時停止させる間欠受信動作で前記受信手段を制御し、前記受信制御手段は、前記間欠受信動作で一時停止している間、前記オートゲインコントロール回路を制御するオートゲインコントロール電圧を、動作停止時点の電圧に保持するとともに、前記一時停止が解除されて動作を再開した際には、前記保持しておいたオートゲインコントロール電圧に基づいて前記オートゲインコントロール回路の動作を再開させ、前記受信手段は、一時停止が解除されて動作を再開したときには、前記受信回路のゲインを一時停止の前の状態から再開することを特徴とする。
【００３０】
本適用例によれば、受信手段の動作が一時停止されている間も、ＡＧＣ回路のＡＧＣ電圧を動作停止時点の電圧に保持しているので、受信手段の動作が再開された際に、正常な動作に迅速に復帰することができる。このため、受信手段の動作が一時停止された際に、ＡＧＣ電圧を保持しない場合に比べて、受信回路の動作を停止してからの再起動時間を短くでき、受信回路を間欠的に動作させても不具合を無くすことができ、時刻修正に要する受信消費電力を低減させることができる。
【００３１】
［適用例６］本適用例に係る電波修正時計の制御方法は、基準クロックパルスに基づいて現時刻をカウントする計時工程と、前記計時工程にて計時された現時刻を表示する時刻表示工程と、時刻情報を含む標準電波を受信する受信工程と、前記受信工程で受信した時刻情報に基づいて前記計時工程の現時刻を修正する現時刻修正工程と、前記受信工程の受信動作を制御する受信制御工程と、前記計時工程で計時され前記時刻表示工程で表示される現時刻の外部修正指令及び標準電波の強制受信動作指令を選択的に入力可能な外部操作工程と、を含み、前記受信制御工程は、前記受信工程にて標準電波の受信を開始する時刻として自動受信時刻が予め設定され、前記計時工程でカウントされる現時刻が前記自動受信時刻に到達した場合には、標準電波の時刻情報のうち限定された一部の限定時刻情報のみを前記受信工程に受信させる第１受信モードを実行させ、前記外部操作工程にて標準電波の強制受信動作が指令された場合には、前記第１受信モードより標準電波の時刻情報を多く前記受信工程に受信させる第２受信モードを実行させることを特徴とする。
【００３２】
本適用例によれば、上記適用例と同様の作用効果を奏することができる。
【００３３】
また、強制受信操作が行われた場合には、すぐに第２受信モードを選択して第２受信モードによる受信動作を実行する。
強制受信操作が行われた場合には、ユーザーによって標準電波の受信による時刻修正が指示されたこととなるので、総ての桁（秒、分、時、通算日、年、及び曜日）の修正に万全を期すために第２受信モードを選択し、さらに、即時に受信動作を実行する。
【００３４】
さらに、外部操作によるカレンダー情報（日情報、曜日情報）が修正された場合には、第２受信モードを選択して標準電波の総ての時刻情報の受信を実行する。このとき、ユーザーによる日情報及び曜日情報の修正から次の受信動作の開始まではユーザーによって修正された時刻情報を時刻表示手段に表示して、自動受信時刻に到達するか強制受信操作が指令された時点で受信動作を開始する。
【００３５】
［適用例７］上記適用例に記載の電波修正時計の制御方法において、前記第１受信モードにおいて受信する前記限定時刻情報は、標準電波の時刻情報のうち、秒、分、及び時の情報であることを特徴とする。
【００３６】
本適用例によれば、計時手段でカウントされる現時刻が自動受信時刻に到達した場合に選択される受信モードである第１受信モードでは標準電波の時刻情報のうち秒、分、及び時の情報のみを受信する。
一般に、例えばクォーツ時計では月差２０秒以内の精度であるので日や曜日の情報は正確にカウントしており、第１受信モードで受信する秒、分、及び時の情報によって計時手段の秒分時を修正すれば計時手段の現時刻を正確な時刻に修正することができる。
すなわち、計時手段のカウントでもずれることがない日や曜日などのカレンダー情報は受信しないので、受信時間を短くして受信に要する消費電力を低減でき、また、受信する情報量が少なくなるので、信号にノイズがのる可能性を少なくして受信成功確率を向上させることができる。
【００３７】
［適用例８］上記適用例に記載の電波修正時計の制御方法において、前記受信工程で受信された標準電波の時刻情報を一時的に記憶するとともに受信された時刻情報が正確に受信されたものであるかを判断する受信情報処理工程を備え、前記受信情報処理工程は、前記第１受信モードにおいては、受信した時刻情報と前記計時工程でカウントされる現時刻との差が許容範囲内であれば受信に成功していると判断することを特徴とする。
【００３８】
本適用例によれば、上記適用例と同様の作用効果を奏することができる。
【００３９】
［適用例９］上記適用例に記載の電波修正時計の制御方法において、前記受信工程で受信された標準電波の時刻情報を一時的に記憶するとともに受信された時刻情報が正確に受信されたものであるかを判断する受信情報処理工程を備え、前記受信情報処理工程は、前記第２受信モードにおいては、連続して受信した時刻情報が所定時刻差となっており、かつ、連続して受信した時刻情報が所定時刻差となることが複数回あった場合に受信に成功したと判断することを特徴とする。
【００４０】
本適用例によれば、上記適用例と同様の作用効果を奏することができる。
【００４１】
［適用例１０］上記適用例に記載の電波修正時計の制御方法において、前記受信工程は、前記標準電波の受信信号を増幅し、ゲインを調整することと、前記受信回路のゲインを制御することと、を備え、前記受信制御工程は、時刻情報の取得中に、取得する必要がないデータが送信されている間は前記受信工程の動作を一時停止させる間欠受信動作で前記受信工程を制御し、前記受信制御工程は、前記間欠受信動作で一時停止している間、オートゲインコントロール電圧を、動作停止時点の電圧に保持するとともに、前記一時停止が解除されて動作を再開した際には、前記保持しておいたオートゲインコントロール電圧に基づいて動作を再開させ、前記受信工程は、一時停止が解除されて動作を再開したときには、ゲインを一時停止の前の状態から再開することを特徴とする。
【００４２】
本適用例によれば、受信工程の動作が一時停止されている間も、ＡＧＣ電圧を動作停止時点の電圧に保持しているので、受信工程の動作が再開された際に、正常な動作に迅速に復帰することができる。このため、受信工程の動作が一時停止された際に、ＡＧＣ電圧を保持しない場合に比べて、動作を停止してからの再起動時間を短くでき、間欠的に動作させても不具合を無くすことができ、時刻修正に要する受信消費電力を低減させることができる。
【００４３】
［適用例１１］本適用例に係る電波修正時計の制御プログラムは、時刻情報を含む標準電波を受信する受信手段を備えた電波修正時計に組み込まれたコンピューターを、基準クロックパルスに基づいて現時刻をカウントする計時手段と、前記計時手段にて計時された現時刻を表示する時刻表示手段と、前記受信手段で受信した時刻情報に基づいて前記計時手段の現時刻を修正する現時刻修正手段と、前記受信手段の受信動作を制御する受信制御手段と、前記計時手段で計時され前記時刻表示手段で表示される現時刻の外部修正指令及び標準電波の強制受信動作指令を選択的に入力可能な外部操作手段と、して機能させる制御プログラムであって、前記受信制御手段は、前記受信手段にて標準電波の受信を開始する時刻として自動受信時刻が予め設定され、前記計時手段でカウントされる現時刻が前記自動受信時刻に到達した場合には、標準電波の時刻情報のうち限定された一部の限定時刻情報のみを前記受信手段に受信させる第１受信モードを実行させ、前記外部操作手段にて標準電波の強制受信動作が指令された場合には、前記第１受信モードより標準電波の時刻情報を多く前記受信手段に受信させる第２受信モードを実行させることを特徴とする。
【００４４】
［適用例１２］本適用例に係る記録媒体は、上記適用例の電波修正時計の制御プログラムをコンピューターに読み取り可能に記録したことを特徴とする。
【００４５】
本適用例によれば、上記適用例と同様の作用効果を奏することができる。また、ＣＰＵ（中央処理装置）、メモリー（記憶装置）等を備えたコンピューターを電波修正時計に組み込んで、このコンピューターにプログラムを組み込んで受信モード制御手段として機能させれば、各種の設定変更等を容易に行うことができる。例えば、第１受信モードとして受信する限定時刻情報の種類や、第２受信モードを選択する際の決定条件等を容易に変更することができる。なおこの制御プログラムは、インターネット等の通信手段や、ＣＤ−ＲＯＭ、メモリーカード等の記録媒体を介してインストールされ、このインストールされたプログラムで上記各手段の機能を実現させればよい。
【図面の簡単な説明】
【００４６】
【図１】本実施形態に係る電波修正時計を示す機能ブロック図。
【図２】受信動作処理を示すフローチャート。
【図３】標準電波のタイムコードフォーマットを示す図。
【発明を実施するための形態】
【００４７】
以下、本発明を具体化した実施形態について図面に従って説明する。なお、使用する図面は、説明する部分が認識可能な状態となるように、適宜拡大又は縮小して表示している。
【００４８】
図１は、本実施形態に係る電波修正時計１００を示す機能ブロック図である。
本実施形態に係る電波修正時計１００は、標準電波を受信する受信手段２００と、基準クロックパルスを生成する基準クロック生成手段３００と、現時刻をカウントするとともに受信動作の制御を行う中央制御手段４００と、時刻表示を行う時刻表示手段５００と、手動操作による外部入力を行う外部操作手段６００と、を備えて構成されている。
【００４９】
受信手段２００は、標準電波を受けるアンテナ２１０と、アンテナ２１０で受けた標準電波に対して同調、増幅等を行って標準電波のタイムコードを受信する受信回路２２０と、受信回路２２０に電力供給を行う受信電源回路２３０と、受信信号に基づいて、受信回路２２０にて受信信号を増幅する際のゲインを決定する信号を出力するＡＧＣ（Auto Gain Control）回路２３２と、受信回路２２０からのタイムコードを復調するデコード回路２４０と、を備える。受信回路２２０は、ＡＧＣ回路２３２から入力する信号に応じてゲインを調整可能に構成されている。そして、ゲインを調整された受信回路２２０は、受信信号を一定の振幅としてデコード回路２４０に入力するように増幅する。すなわち、受信回路２２０は、ＡＧＣ回路２３２から入力する信号に応じて、振幅が大きい場合にはゲインを低くし、振幅が小さい場合にはゲインを高くして、受信信号を一定の振幅となるように増幅する。この受信手段２００によって標準電波を受信する受信工程が行われる。
【００５０】
基準クロック生成手段３００は、図示しない水晶振動子を発振させて一定周波数の信号を生成する発振回路３１０と、発振回路３１０からの信号を分周して基準クロックパルスを生成する分周回路３２０と、を備えている。
【００５１】
中央制御手段４００は、現時刻をカウントする計時手段４１０と、受信手段２００による受信動作を制御する受信制御手段４２０と、受信手段２００にて受信された時刻情報を処理して受信の成否を判断する受信情報処理手段４３０と、受信した時刻情報に基づいて計時手段４１０でカウントされる現時刻を修正する現時刻修正手段４４０と、外部操作手段６００の操作を検出するとともに外部入力指令に応じて時刻修正及び強制受信を指令する外部操作制御手段４５０と、時刻表示手段５００に計時手段４１０でカウントされる現時刻を表示させる運針駆動制御手段４６０と、を備える。
【００５２】
計時手段４１０は、秒分時カウンター４１１と、カレンダーカウンター４１２と、を備える。
【００５３】
秒分時カウンター４１１は、基準クロック生成手段３００からの基準クロックパルスに基づいて現時刻の秒、分、及び時をカウントし（計時工程）、具体的には、秒をカウントする秒カウンター（不図示）と、時分をカウントする時分カウンター（不図示）と、を備える。
【００５４】
カレンダーカウンター４１２は、秒分時カウンター４１１のカウントに基づいて年、月、日、曜日等のカレンダー情報をカウントする（計時工程）。
【００５５】
受信制御手段４２０は、受信手段２００による受信動作を制御し、標準電波を受信するタイミングを制御する受信タイミング制御手段４２１と、異なる受信モードのうちから選択された受信モードで受信手段２００に受信動作を実行させる受信モード制御手段４２２と、を備える。受信制御手段４２０は、受信電源回路２３０に、受信回路２２０のパワーオン・オフを制御する制御信号と、ＡＧＣ回路２３２のＡＧＣ電圧を保持する制御信号を出力する。
具体的には、受信制御手段４２０は、予め設定された定時受信時刻になった場合や、外部操作手段６００で手動受信が指示された場合には、受信回路２２０をパワーオンする制御信号を送信して受信回路２２０を作動し、受信処理を開始する。そして、この受信処理時に、後述するように、所定のタイミングでパワーオフする制御信号を送信し、受信回路２２０を一時停止させる。
また、このパワーオン、パワーオフに前後して、ＡＧＣ回路２３２のＡＧＣ電圧を保持する制御信号を出力し、受信回路２２０が一時停止中はＡＧＣ電圧を保持し続けるようにしている。
【００５６】
この受信制御手段４２０によって、受信手段２００の受信動作を制御する受信制御工程が実行される。
【００５７】
受信タイミング制御手段４２１は、標準電波を受信する時刻として予め設定された自動受信時刻（例えば、午前２時と午前５時）を記憶しており、自動受信時刻に到達した場合には標準電波の受信開始を指令する。
【００５８】
また、受信タイミング制御手段４２１は、設定された受信時刻以外であっても、外部操作手段６００の操作による強制受信指令を受けた場合には標準電波の受信開始を指令する。受信開始の指令は受信モード制御手段４２２に出力される。
【００５９】
受信モード制御手段４２２について説明する。
受信手段２００で標準電波を受信する際の異なる受信動作パターンとして第１受信モードと第２受信モードとが予め設定されており、受信モード制御手段４２２は、状況に応じて第１受信モードと第２受信モードとのいずれかで受信手段２００を動作させる（受信モード制御工程）。動作の結果は受信情報処理手段４３０に出力される。
【００６０】
受信モード制御手段４２２に設定される異なる受信モードとして、第１受信モードは、標準電波の時刻情報のうち秒、分、及び時の情報のみを受信するモードであり、第２受信モードは、秒、分、及び時はもちろん通算日、年、及び曜日の情報を含めて標準電波の時刻情報を総て受信するモードである。
【００６１】
具体的な構成として、受信モード制御手段４２２は、標準電波の時刻情報のうち秒分時データのみを受信する第１受信モードを受信手段２００に実行させる第１受信モード処理部４２３と、標準電波の時刻情報の総てを受信する第２受信モードを連続して複数回受信手段２００に実行させる第２受信モード処理部４２４と、を備える。
【００６２】
受信情報処理手段４３０は、受信手段２００で受信された標準電波の時刻情報を一時的に記憶するとともに、受信した時刻情報が正確に受信されたものであるかを判断する（受信情報処理工程）。
【００６３】
そして、受信情報処理手段４３０は、受信の成否を受信制御手段４２０に対して出力する一方、正確に受信していると判断する場合には現時刻修正手段４４０に受信した時刻情報を出力する。
【００６４】
なお、受信モードとして、第１受信モードと第２受信モードとがあるところ、受信成否の判断も第１受信モードと第２受信モードとでは異なる。
【００６５】
第１受信モードにおいては、受信情報処理手段４３０は、受信した時刻情報と計時手段４１０でカウントされる現時刻との差が許容範囲内であれば受信に成功していると判断する。
【００６６】
第２受信モードにおいては、受信情報処理手段４３０は、連続して受信した標準電波の時刻情報が１分差（所定時刻差）となっており、かつ、連続して受信した時刻情報が１分差となることが複数回あった場合に成功したと判断する。具体的な受信成否の判断動作については、図２のフローチャートを参照して後述する。
【００６７】
現時刻修正手段４４０は、受信情報処理手段４３０で受信に成功したと判断された場合に、受信手段２００で受信された時刻情報に基づいて計時手段４１０のカウント値を修正する（現時刻修正工程）。
【００６８】
外部操作制御手段４５０は、外部操作手段６００による操作によって入力される強制受信の指令を検出して受信制御手段４２０に強制受信指令を出力する強制受信操作検出手段４５３と、を備える。
【００６９】
運針駆動制御手段４６０は、時刻表示手段５００に対して計時手段４１０でカウントされる現時刻（秒分時及びカレンダー）を表示させるように駆動パルスを出力する。
【００７０】
時刻表示手段５００は、計時手段４１０でカウントされる現時刻情報を表示する（時刻表示工程）。
【００７１】
時刻表示手段５００は、外装ケース５１０の開口部から外部に臨む文字板５２０と、文字板５２０上で回動する指針５３０と、文字板５２０の開口部から外部に臨む日付表示部５４０と、を備える。
【００７２】
指針５３０としては、秒針５３１、分針５３２、時針５３３が設けられ、これら指針５３０は、運針駆動制御手段４６０からの駆動パルスによって駆動されるステッピングモーター（不図示）及び動作伝達手段としての輪列（不図示）により回転駆動される。
【００７３】
日付表示部５４０は、文字板５２０の下で回動する日車に刻設された日付表示が文字板５２０の開口から視認可能に設けられることで構成される。
【００７４】
外部操作手段６００は、外装ケース５１０の側面において手動操作可能に設けられた３つのスイッチによって構成され、これらスイッチの手動操作によりユーザーが計時手段４１０で計時される現時刻を修正するとともに標準電波の強制受信動作を指令する。
【００７５】
次に、この電波修正時計１００の動作について説明する。
ここで、本発明は、電波修正時計に関する発明であるところ、計時手段４１０で現時刻をカウントしつつカウントした現時刻を時刻表示手段５００で表示し、自動受信時刻に到達するかあるいは外部操作による強制受信によって標準電波を受信して、受信した時刻情報に基づいて計時手段４１０でカウントする現時刻を修正する点については従来知られた電波修正時計と同様であるので、現時刻を時刻表示手段５００で表示する工程や受信した時刻情報に基づいて計時手段４１０でカウントする現時刻を修正する工程などについては詳細な説明を省略する。
【００７６】
図２は、受信動作処理を示すフローチャートである。図２を参照して、標準電波を受信する受信動作について説明する。電波修正時計１００は、ステップＳ２００において、受信タイミング制御手段４２１に設定された自動受信時刻に到達するか、あるいは、ステップＳ２１０において、外部操作手段６００による強制受信操作を検出するまでは、計時手段４１０で計時される現時刻は時刻表示手段５００に表示される。
【００７７】
まず、ステップＳ２００において「ＹＥＳ」と判断される受信タイミング制御手段４２１に設定された自動受信時刻に到達した場合には、ステップＳ２２０において、受信タイミング制御手段４２１から受信モード制御手段４２２に受信開始の指令が出力されて標準電波の受信処理が開始される。受信モード制御手段４２２では第１受信モード処理部４２３を起動させる。すると、第１受信モード処理部４２３は、ステップＳ３１０において、受信電源回路２３０に受信回路２２０への電力供給を指令し、受信回路２２０が起動される。
【００７８】
第１受信モードにおいては、ステップＳ３２０において、標準電波の時刻情報のうち、秒、分、及び時の情報のみを１回だけ受信して、ステップＳ３３０において、受信回路２２０が停止される。受信回路２２０が一時停止中はＡＧＣ電圧を保持し続ける。
【００７９】
受信回路２２０で受信された標準電波の時刻情報（秒、分、及び時の情報）はデコード回路２４０で復調されて受信情報処理手段４３０で一旦記憶されるとともに、ステップＳ３４０において、受信の成否が判断される。
【００８０】
第１受信モードにおける受信成否の判断においては、ステップＳ３５０において、受信した時刻情報と計時手段４１０の秒分時カウンター４１１でカウントしている現時刻情報とを比較して、両者の差が許容範囲内であるか判断される。
【００８１】
この許容範囲としては例えば２０秒以内とすることが例として挙げられる。ステップＳ３５０において「ＹＥＳ」と判断される受信した時刻情報と計時手段４１０の秒分時カウンター４１１でカウントしている現時刻情報との差が数秒以内（許容範囲内）である場合、受信成功であると判断されて、ステップＳ３６０において、現時刻修正手段４４０により計時手段４１０の秒分時カウンター４１１のカウント値が修正され、修正された現時刻情報に応じて運針駆動制御手段４６０により時刻表示手段５００の表示時刻が修正される。許容範囲としては、例えば、１〜２秒程度に設定されることが例として挙げられる。
【００８２】
なお、ステップＳ３５０において「ＮＯ」で、許容範囲ではなかった場合には、ステップＳ３１０に戻って受信が再開される。
【００８３】
次に、ステップＳ２１０において「ＹＥＳ」と判断される強制受信操作ありの場合について説明する。
【００８４】
まず、外部操作手段６００によって強制受信の操作が行われて、ステップＳ２１０において「ＹＥＳ」と判断される、この操作が強制受信操作検出手段４５３で検出された場合には、ステップＳ２２５において、受信タイミング制御手段４２１から受信モード制御手段４２２に受信開始の指令が出力されて標準電波の受信処理が開始される。受信モード制御手段４２２では第２受信モード処理部４２４を起動させる。すると、第２受信モード処理部４２４は、ステップＳ４１０において、受信電源回路２３０に受信回路２２０への電力供給を指令し、受信回路２２０が起動される。
【００８５】
第２受信モードにおいては、ステップＳ４２０において、標準電波の時刻情報の総て（秒、分、時、通算日、年、及び曜日の情報）を受信する。
【００８６】
このとき、連続する時刻情報を２つ受信して、この受信された時刻情報がデコード回路２４０で復調されて受信情報処理手段４３０で一旦記憶されるとともに、ステップＳ４３０において、受信の成否が判断される。第２受信モードにおける受信成否の判断においては、連続して受信された時刻情報が１分間隔になっているか判断される。
【００８７】
ステップＳ４４０において、「ＹＥＳ」と判断される連続して受信した時刻情報が１分差になっていた場合、受信に成功と判断され、さらに、ステップＳ４５０において、この受信成功に３回成功したか判断される。
【００８８】
ステップＳ４５０において、「ＹＥＳ」と判断される受信に３回成功していた場合、ステップＳ４６０において、受信回路２２０を停止させるとともに、ステップＳ４７０において、現時刻修正手段４４０により計時手段４１０の秒分時カウンター４１１及びカレンダーカウンター４１２のカウント値が修正され、修正された時刻情報に応じて運針駆動制御手段４６０により時刻表示が修正される。
【００８９】
なお、ステップＳ４４０において「ＮＯ」と判断される連続する時刻情報が１分差でない場合、ステップＳ４５０において「ＮＯ」と判断される３回の受信成功がない場合には、ステップＳ４２０に戻って時刻情報の受信が継続される。
【００９０】
外部操作手段６００にて強制受信動作が指令された場合は、ユーザーによって標準電波の受信による時刻修正が指示されたこととなるので、総ての桁（秒、分、時、日、及び曜日）の修正に万全を期すためであり、また、ユーザーによる強制受信操作は日中に行われることが多いと考えられるところ、日中は電波の受信状況が良好ではないために誤受信しやすいためである。
【００９１】
このような構成を備える上記実施形態によれば、次の効果を奏する。
（１）第１受信モード処理部４２３と第２受信モード処理部４２４とが設けられており、状況に応じた受信モードで標準電波の受信を行うことができる。そして、通常は、第１受信モードにより秒、分、及び時の時刻情報（パリティーも含む）のみを受信するので、受信時間を短くして受信に要する消費電力を低減できる。さらに、第１受信モード処理部４２３による第１受信モードでは秒、分、及び時の時刻情報のみを受信するので受信する情報量が少なることに加えて、第１受信モードで標準電波の受信を行った場合に受信に成功しているかどうかを判断するにあたっては受信した秒、分、及び時の時刻情報を計時手段４１０でカウントする現時刻に対比することで判断するので、標準電波の受信回数は１回でよいこととなり、その結果、受信時間が非常に短くなり、受信に要する消費電力を非常に低減できる。また、受信する情報量が少なくなるので、信号にノイズがのる可能性を少なくして受信成功確率を向上させることができる。例として、ＪＪＹ４０／６０では曜のタイムコードを取らないとした場合には４９〜６０秒まで信号を取る必要性がなくなり、約１１秒間非常に消費電流が少ない状態で受信が可能となる。
【００９２】
（２）第２受信モードで標準電波の受信を行った場合に受信に成功しているかどうかを判断するにあたっては、連続して受信した標準電波の時刻情報が１分差になっているかを確認し（ステップＳ４４０）、さらに、１分差となる連続した時刻情報の受信が複数回（例えば３回）できたかを確認し（ステップＳ４５０）、このような要件を満たす場合に標準電波の受信に成功したと判断するので、受信の成否を非常に厳しくチェックして厳密に判断することができる。第２受信モードでは、標準電波の時刻情報（秒、分、時、通算日、年、及び曜日）の総てを受信するので、受信する情報量が多くなって電波にノイズが重畳する危険性が増し、誤受信する危険性が高くなるが、厳密な受信成否の判断（ステップＳ４４０，Ｓ４５０）をするので、誤って受信した時刻情報に基づいて誤った時刻修正が行われることを防止して、正確に受信した時刻情報に基づいて正確な時刻修正を行うこととすることができる。
【００９３】
なお、本発明は前述の実施形態に限定されず、本発明の目的を達成できる範囲での変形、改良等は本発明に含まれる。例えば、本実施例のように曜日の表示がない場合には曜日のデータは受信する必要はなく、秒、分、時、パリティー、通算日、及び年データを受信して、通算日及び年データにより日を求めて、修正すれば良い。
【００９４】
例えば、ＣＰＵ（中央処理装置）及びメモリー（記憶装置）等を備えたコンピューターに制御プログラムを組み込んで中央制御手段４００の各手段としての機能を実現させてもよく、このようにコンピューターを例えば受信モード制御手段４２２として機能させれば、各種の設定変更等を容易に行うことができる。例えば、第１受信モードとして受信する限定時刻情報の種類や、第２受信モードを選択する際の決定条件等を容易に変更することができる。なお、この制御プログラムは、インターネット等の通信手段や、ＣＤ−ＲＯＭ及びメモリーカード等の記録媒体を介してインストールされ、このインストールされたプログラムで上記各手段の機能を実現させればよい。
【００９５】
また、受信成否の判断に際して、第１受信モードにおいては、受信した時刻情報を計時手段の現時刻に比較して受信成否を判断し、第２受信モードでは連続して受信した標準電波の時刻情報が所定時刻差（１分差）になっているか、さらに、所定時刻差の時刻情報の受信に複数回（３回）成功したかで受信の成否を判断する場合を例にして説明したが、このような受信成否の判断方法は特に限定されず、種々変更できることはもちろんである。
【００９６】
第２受信モードを選択するための決定条件としては、実施形態で説明した決定条件にのみ限定されるものではなく、第１受信モードで受信する限定時刻情報の桁データや受信成否の判断方法などが変更されれば、この変更に応じて決定条件も異なってくるのは当然である。
【００９７】
受信モードとしては、第１受信モードと第２受信モードとの２つが設定されている場合を説明したが、受信モードとしては２つに限らず、３つでも４つでも必要に応じて様々なパターンの受信モードが設定されていてもよい。例えば、前記第１受信モードでは一度の受信動作で１つの秒分時情報を受信するとし、第２受信モードでは一度の受信動作で連続した３つの時刻情報を受信するとしたが、さらに、第１受信モード及び第２受信モードのそれぞれについて一度の受信動作で連続して受信する回数が異なっている受信モードが設けられていてもよく、あるいは、自動受信タイミングを増減させた受信モードが設けられていてもよい。
【００９８】
時刻表示手段５００としては指針５３０によって時刻を表示する指針式の時刻表示手段を例にして説明したが、デジタル表示式であってもよいことはもちろんである。
【００９９】
第１受信モードでの受信成否の確認においては（ステップＳ３４０）、受信した秒分時情報を秒分時カウンター４１１でカウントしている現時刻情報と比較して両者の差が許容範囲内であるか否かで判断するとし（ステップＳ３５０）、受信に成功しない場合には再びステップＳ３１０に戻って受信を再開してステップＳ３１０〜Ｓ３５０を繰り返すとしたが、２回目以降の受信動作における受信成否の確認（ステップＳ３４０）においては、次のようにしてもよい。
【０１００】
すなわち、２回目以降に受信した秒分時情報を秒分時カウンター４１１の現時刻情報と比較して許容範囲内であるか判断する（ステップＳ３５０）ことに加えて、２回目以降に受信した秒分時情報をそれまでに受信した秒分時情報と比較して所定時刻差（１分差）になっているか判断し、いずれかの判断において条件が満たされれば受信に成功したとして、受信した秒分時情報に基づく時刻修正を行ってもよい。計時手段４１０でカウントされる時刻情報が誤っていた場合、正確に受信できていても受信した秒分時情報が秒分時カウンター４１１の時刻情報からずれることになるので受信に成功したと判断できず、受信を繰り返すことになる虞があるが、連続して受信した秒分時情報同士を比較して受信成否を判断する経路も設けるので、秒分時カウンター４１１の現時刻が誤っていた場合でも受信を何度も繰り返すことなく受信の成功を正しく判断することができる。
【０１０１】
又は、第１受信モードでの受信成否の確認（ステップＳ３４０）において、１回目の受信に成功しなかった場合に、２回目以降の受信動作における受信成否の判断においては、秒分時カウンター４１１の現時刻情報と比較して許容範囲内であるか判断する（ステップＳ３５０）ことなく、２回目以降に受信した秒分時情報をそれまでに受信した秒分時情報と比較して所定時刻差（１分差）になっているかのみを判断することによって受信成否の確認を行ってもよい。
【符号の説明】
【０１０２】
１００…電波修正時計  ２００…受信手段  ２１０…アンテナ  ２２０…受信回路  ２３０…受信電源回路  ２３２…ＡＧＣ回路  ２４０…デコード回路  ３００…基準クロック生成手段  ３１０…発振回路  ３２０…分周回路  ４００…中央制御手段  ４１０…計時手段  ４１１…秒分時カウンター  ４１２…カレンダーカウンター  ４２０…受信制御手段  ４２１…受信タイミング制御手段  ４２２…受信モード制御手段  ４２３…第１受信モード処理部  ４２４…第２受信モード処理部  ４３０…受信情報処理手段  ４４０…現時刻修正手段  ４５０…外部操作制御手段  ４５３…強制受信操作検出手段  ４６０…運針駆動制御手段  ５００…時刻表示手段  ５１０…外装ケース  ５２０…文字板  ５３０…指針  ５３１…秒針  ５３２…分針  ５３３…時針  ５４０…日付表示部  ６００…外部操作手段。
【図１】
2014081289.tif 000003
【図２】
2014081289.tif 000004
【図３】
2014081289.tif 000005